(57)【要約】【課題】犬や猫などのペットが噛みつき、振り回し、あるいは引っ掻いたりして、ぬいぐるみの外形を構成するぬいぐるみ表面体形成部に穴が開いたり、破けたり、縫製部分がほつれたりしても、中身の詰め物が外部へ出てしまうことがなく、ひいてはペットがその中身の詰め物を誤って飲み込むことのないペット用ぬいぐるみの構造を提供することを目的とする【解決手段】ぬいぐるみの立体的外形を形取って形成されたぬいぐるみ表面体形成部と、ぬいぐるみ表面体形成部の内側に配置され、ぬいぐるみ表面体形成部の立体的外形と略同等に形成された詰め物保護体部と、ぬいぐるみ外形の形成用詰め物と、を備え、ぬいぐるみ表面体形成部が破損されたとき、詰め物保護体部により形成用詰め物の外部放出が防止できる被覆構造とされた、ことを特徴とする。【選択図】  図８
0003135922.tif 000002
【実用新案登録請求の範囲】
【請求項１】
ぬいぐるみの立体的外形を形取って形成されたぬいぐるみ表面体形成部と、前記ぬいぐるみ表面体形成部の内側に配置され、前記ぬいぐるみ表面体形成部の立体的外形と略同等の立体的外形に形取って形成された詰め物保護体部と、ぬいぐるみの立体的外形を形成すべく、前記詰め物保護体部内に収納されるぬいぐるみ外形の形成用詰め物と、を備え、前記ぬいぐるみ表面体形成部が破損されたとき、前記詰め物保護体部により形成用詰め物の外部放出が防止できる被覆構造とされた、ことを特徴としたペット用ぬいぐるみ構造。
【請求項２】
ぬいぐるみの立体的外形を形取って形成されたぬいぐるみ表面体形成部と、前記ぬいぐるみ表面体形成部の内側に配置され、前記ぬいぐるみ表面体形成部の立体的外形と略同等の立体的外形に形取って形成された詰め物保護体部と、ぬいぐるみの立体的外形を形成すべく、前記詰め物保護体部内に収納されるぬいぐるみ外形の形成用詰め物と、を備え、前記ぬいぐるみ表面体形成部が破損されたとき、前記詰め物保護体部により前記形成詰め物の外部放出が防止できる被覆構造とし、前記ぬいぐるみ表面体形成部と前記詰め物保護体部とを重ね状態での一体縫製でぬいぐるみを構成した、ことを特徴としたペット用ぬいぐるみ構造。
【請求項３】
前記詰め物保護体部は、二重重ね以上に重ねて形成された、ことを特徴とする請求項１または請求項２に記載されたペット用ぬいぐるみ構造。
【請求項４】
前記詰め物保護体部は、メッシュクロス又はメッシュ状合成繊維ネットを用いて形成された、ことを特徴とする請求項１、請求項２または請求項３に記載されたペット用ぬいぐるみ構造。
【考案の詳細な説明】
【技術分野】
【０００１】
本考案は、内部に詰め物が収納されて立体的な外形に構成したぬいぐるみにかかり、特にペット用のぬいぐるみ構造に関するものである。
【背景技術】
【０００２】
従来より、一般のぬいぐるみ構造、あるいはペット用のぬいぐるみの構造については、各種様々な提案がなされている。例えば、一般的なペット用ぬいぐるみとしては、ぬいぐるみの外形を形成する外側の布部材と、ぬいぐるみの中身を形成する詰め物とを有して構成される。
そして、この様なペット用ぬいぐるみには、音声IC、駆動用電池を組み込んだ音声ユニットなどを内蔵して構成されるのが一般的となっている。
【０００３】
しかしながら、この様な構造からなるペット用ぬいぐるみ製品は、通常ぬいぐるみの外形を形成する外装部分が一層でしか構成されていない。
【０００４】
したがって、例えば、犬や猫などペットが、動物の習性として、前記ペット用ぬいぐるみを獲物として捉えたりして、該ペット用ぬいぐるみに噛みついたり振り回したり引っ掻いたりといった行動をとると、ペットの歯や爪でぬいぐるみの外装部分に穴を開けたり、破いたり、あるいは縫製部分がほつれたりすることがあり、最終的には内部の詰め物を引き出してしまい、犬や猫などのペットがそれを飲み込んでしまうおそれがあった。
【０００５】
【特許文献１】特開平６−７１０４５号公開公報
【考案の開示】
【考案が解決しようとする課題】
【０００６】
かくして、本考案は、前記従来の課題に鑑みて案出されたものであり、犬や猫などのペットが噛みつき、振り回し、あるいは引っ掻いたりして、ぬいぐるみの外形を構成するぬいぐるみ表面体形成部に穴が開いたり、破けたり、縫製部分がほつれたりしても、中身の詰め物が外部へ出てしまうことがなく、ひいてはペットがその中身の詰め物を誤って飲み込むことのないペット用ぬいぐるみの構造を提供することを目的とするものである。
【課題を解決するための手段】
【０００７】
本考案によるペット用ぬいぐるみの構造は、
ぬいぐるみの立体的外形を形取って形成されたぬいぐるみ表面体形成部と、
前記ぬいぐるみ表面体形成部の内側に配置され、前記ぬいぐるみ表面体形成部の立体的外形と略同等の立体的外形に形取って形成された詰め物保護体部と、
ぬいぐるみの立体的外形を形成すべく、前記詰め物保護体部内に収納されるぬいぐるみ外形の形成用詰め物と、
を備え、
前記ぬいぐるみ表面体形成部が破損されたとき、前記詰め物保護体部により形成用詰め物の外部放出が防止できる被覆構造とされた、
ことを特徴とし、
または、
ぬいぐるみの立体的外形を形取って形成されたぬいぐるみ表面体形成部と、
前記ぬいぐるみ表面体形成部の内側に配置され、前記ぬいぐるみ表面体形成部の立体的外形と略同等の立体的外形に形取って形成された詰め物保護体部と、
ぬいぐるみの立体的外形を形成すべく、前記詰め物保護体部内に収納されるぬいぐるみ外形の形成用詰め物と、
を備え、
前記ぬいぐるみ表面体形成部が破損されたとき、前記詰め物保護体部により前記形成詰め物の外部放出が防止できる被覆構造とし、
前記ぬいぐるみ表面体形成部と前記詰め物保護体部とを重ね状態での一体縫製でぬいぐるみを構成した、
ことを特徴とし、
または、
前記詰め物保護体部は、二重重ね以上に重ねて形成された、
ことを特徴とし、
または、
前記詰め物保護体部は、メッシュクロス又はメッシュ状合成繊維ネットを用いて形成された、
ことを特徴とするものである。
【考案の効果】
【０００８】
本考案によれば、犬や猫などのペットが噛みついたり振り回したり引っ掻いたりし、もって、ぬいぐるみの外形を構成するぬいぐるみ表面体形成部に穴が開いたり、破けたり、縫製部分がほつれたりしても、中身の詰め物が外部へ出てしまうことがなく、ひいてはペットがその中身の詰め物を誤って飲み込むことのないペット用ぬいぐるみの構造を提供することを目的とするものである。
【考案を実施するための最良の形態】
【０００９】
以下、本考案を実施するための最良の形態を図に示す実施例に基づいて説明する。
図には、本考案によるペット用ぬいぐるみ１の構造が示されている。
すなわち、ペット用ぬいぐるみ１は、動物ぬいぐるみ（例えばウサギ）の立体的外形を形取って形成されたぬいぐるみ表面体形成部２と、このぬいぐるみ表面体形成部２の内側に配置され、ぬいぐるみ表面体形成部２の立体的外形と略同等の立体的外形に形取って形成された詰め物保護体部３と、ぬいぐるみの立体的外形を完成させるべく、前記詰め物保護体部３内に収納されるぬいぐるみ外形の形成用詰め物４とを備えて構成されるものとなる。
ここで、まず本考案によるペット用ぬいぐるみ１の製作工程につき説明する。
【００１０】
（１）  型紙６を作成する（図１参照）。
まず、ペット用ぬいぐるみ１の基本的なボディーを構成する各パーツ（頭部分、胴体部分、足部分等）を作るための型紙６を作成する。本実施例ではウサギのぬいぐるみを作製するものとしてウサギ形状になるように各パーツの型紙６を作成することになる。
【００１１】
（２）  布地７に写し、裁断する。
そして、作成した型紙６を利用し、例えば、ぬいぐるみ表面体形成部２を構成するものとなる布地７に前記各パーツの輪郭を描いていく（図２参照）。その後、描いた輪郭に沿って布地７を裁断する。
【００１２】
ここで、布地７の種類については、本考案においてなんら限定されるものではない。例えば、ファー布（一般に、ボア、シール、パイル、モヘアと称呼されている）を使用し、その中で厚手のもの、薄手のもの、ストレッチタイプ、伸びないもの、毛の長いタイプ、荒い毛のもの、カールしているものなどが使用される。異なった素材にすると、同様に製作したとしても、ぬいぐるみの雰囲気がまるで違うものとなる。  
なお、本考案では、ぬいぐるみの外皮部、すなわち、ぬいぐるみ表面体形成部２を構成すべき布地７だけを裁断するのではない。
【００１３】
前記の型紙６を利用して、ぬいぐるみ表面体形成部２と略同様の立体的外形となる詰め物保護体部３を構成するものとなる部材、例えばメッシュクロスあるいはメッシュ状合成繊維ネット８も前記布地７と同様に裁断する。
【００１４】
なお、詰め物保護体部３を構成するものとなる部材としては、前記したメッシュクロスあるいはメッシュ状合成繊維ネット８が好ましい。耐久性に優れており、ペットの噛みつきや引っ掻きによっても、表面体形成部２が破れたりすることにより、詰め物４が外部へ出てしまうことがないということについて、高い効果が期待できる。
ただし、これらの部材に限定されるものではなく、例えば不織布、あるいは一般の布地でも構わないものである。例えば不織布は、丈夫である、詰め物４が出にくい、柔らかい、比較的安価であるなど、詰め物保護体部３を構成する部材として適した特徴がある。
【００１５】
（３）  縫製する。
前記の工程で裁断したぬいぐるみの外皮部、すなわち、ぬいぐるみ表面体形成部２を構成する布地７を縫製し、いわゆるぬいぐるみの外皮部、すなわち、ウサギの立体的形状をなすぬいぐるみの表面体形成部２を作成していく。
この様にぬいぐるみの外皮部を、本考案では、ぬいぐるみの表面体形成部２と称する。
【００１６】
次いで、前記の工程で、やはり同様に裁断された、ぬいぐるみ表面体形成部２と略同様の立体的外形となる詰め物保護体部３を構成する、例えばメッシュクロス、あるいはメッシュ状合成繊維８を所定の形状に裁断し、その後、縫製してゆき、いわゆるウサギのぬいぐるみの立体的形状と略同等の立体的形状をなす詰め物保護体部３を作成していく。
この詰め物保護体部３の縫製に際し、具体的に説明する。
まず、前記の表面体形成部２と詰め物保護体部３とを重ねて一体縫製することも出来る。
【００１７】
図３から理解されるように、表面体形成部２を構成する例えば布地７、７を内側に、詰め物保護体部３、３を構成する、例えば、布地７，７が内側に、メッシュクロスあるいはメッシュ状合成繊維８、８が外側になるよう４枚重ねにして配置し、外側のメッシュクロスあるいはメッシュ状合成繊維８側から縫い針１０を挿通させ、前記４枚重ねの布地７及びメッシュクロスあるいはメッシュ状合成繊維８を縫い合わせていくのである。
なお、図３では手縫いによって縫製している状態を示してあるが、ミシンなど縫製器具を用いて縫製しても構わない。
そして、ぬいぐるみの内部ボディー内に詰めることとなる詰め物４の挿入口５を確保するため、一部は縫製しないであけておくものとする。
【００１８】
しかして、前記の様に縫製した後、詰め物４の挿入口５を基点にして、内側になっていた布地７、７（ぬいぐるみ表面体形成部２）が外側になるように、布地７（ぬいぐるみ表面体形成部２となる）及びメッシュクロスあるいはメッシュ状合成繊維８（詰め物保護体部３となる）をひっくり返す作業を行う。これにより、メッシュクロスあるいはメッシュ状合成繊維８は裏側に位置する。また、このひっくり返す作業に伴って、ほぼ立体的な形状、すなわちウサギ形状が浮かび上がる。
【００１９】
ここで、本考案では、図３に示すように、表面体形成部２と詰め物保護体部３とを重ねて一体縫製しなくても構わない。
表面体形成部２となる布地７を縫製し、それとは別に詰め物保護体部３となるメッシュクロスあるいはメッシュ状合成繊維８を縫製し、各々別々に立体的形状となる表面体形成部２と詰め物保護体部３とを形成しても構わないものである。
【００２０】
さらに、前記したメッシュクロスあるいはメッシュ状合成繊維８などからなる詰め物保護体部３を一重ではなく、二重構造とし、布地７で形成した表面体形成部２とあわせて、都合三重構造としても構わないものである。
この場合、さらに耐久性がアップするものとなり、ペットによりきわめて粗雑な扱いをされたとしても内部の詰め物４が外部に飛び出るおそれはなくなる。
【００２１】
（４）  縫製した詰め物保護体部３の中に詰め物４を入れて挿入口５を閉じる
例えば、前記のひっくり返す作業で立体的なウサギ形状となり、内部に空間を有する袋状となった詰め物保護体部３内に前記の挿入口５から詰め物４を挿入するのである。
ここで、詰め物４には、ポリエステル綿等の綿を使用することが多いが、これに限らず、布・スポンジ・ゴム状スポンジ・ビーズ・発泡スチロール・小豆・小石等が考えられる。さらには、手や足などのパーツ内には詰め物として端布を使用するのが好ましい。詰め物４の主要な素材として用いられるポリエステル綿に比べて耐久性のある端布を用いることで、耐久性の向上により製品寿命を延ばし、かつ、破片をペットが飲み込む危険性も軽減することができる。
【００２２】
ところで、ペット用ぬいぐるみについては、特に詰め物４のほかに、音や振動を発生させるいわゆる興味誘導機器９を内蔵させている。かかる興味誘導機器９により、一層ペットの関心や興味を引くことが出来るからである。
【００２３】
その興味誘導機器９の種類を挙げると、まず、プラスチック製部材からなる振動ユニット部材が挙げられる。
振動ユニット部材に設けられた紐部を引っ張ることで、該振動ユニット部材が振動し、ぬいぐるみ全体の振動作用が生ずる。
【００２４】
次に、例えば、ビニール製袋部とこの袋部内部に収納されたウレタン製スポンジ部材と、前記ビニール製袋部の一端に内外部を貫通する弁部材等で構成される鳴り物部材が挙げられる。
該鳴り物部材をぬいぐるみ内部に収納し、ぬいぐるみの外側からぬいぐるみを押すことで、前記スポンジ部材に空気が入り込み、ぬいぐるみから押した手などを離すことで前記弁部材の特殊弁に内部から空気が送り込まれ、音が発生するのである。
【００２５】
また、プラスチック製からなり、上下方向の大きく揺らすことで音を発生させる部材からなる鳴り物部材が挙げられる。
該鳴り物部材を内部に含んだぬいぐるみを上下方向に大きく揺らすことで、前記鳴り物部材内部の特殊弁に空気が送り込まれ、その空気が外部に流出する際に音が発生する。
【００２６】
さらに、プラスチック製あるいは金属製からなる鈴を備えた鳴り物部材であってもよい。ぬいぐるみを大きく揺らすことで、鈴が音を発生させる。
また、音声ＩＣと電池とを内部に構成するプラスチック製からなる音声ユニット部材が挙げられる。該音声ユニット部材を押すことにより音声ＩＣが作動し、例えば犬の鳴き声、あるいはアヒルの鳴き声を発生させる。
以上説明した興味誘導機器９については１つ内蔵しても構わないし、１つ以上複数内蔵しても構わない。
【００２７】
ところで、詰め物４の種類については前記したとおりであるが、最終的な詰め物４の詰め込み量を調整するためには調整用詰め物として、いわゆる綿を用いるとよい。すなわち、綿の様な部材で詰め込み量を調整すれば、ぬいぐるみ全体の強度調節も容易となり、また、細かいパーツの詰め込みも可能とし、ぬいぐるみの柔らかな触り心地さえも提供できるものとなる。
【００２８】
さらに、小粒状のプラスチック製部材から構成された、いわゆるペレットと称される粒状収納部材を詰め物４として詰め込むことも考えられる。
このペレットは綿や端布などの詰め物４の中では比較的重量があり、例えばぬいぐるみの胴体部分に詰め込むことにより、ぬいぐるみを安定的に座らせることが出来るなどの効果を得られる。しかも、そのペレットによる詰め込み量の調整でぬいぐるみ自体の強度調節も容易に行える。そして、ぬいぐるみの適度な重量感、良質な触り心地をも生じさせることが出来る。
【００２９】
次いで、詰め物４や興味誘導機器９を詰め込んだ後、中身が漏れ出さないように、挿入口５を縫着する。
【００３０】
ところで、ぬいぐるみ表面体形成部２と詰め物保護体部３とを別々に縫製した場合には、前記詰め物保護体部３内に各種の詰め物４と興味誘導機器９とを詰めた後、詰め物保護体部３の挿入口５を縫着して、詰め物保護体部３を完成させる。
その後、この詰め物保護体部３をぬいぐるみ表面体形成部２内に、ぬいぐるみ表面体形成部２の挿入口５から内部に挿入し、この挿入口５を逢着してぬいぐるみの基本的な姿態を形成する。
【００３１】
（５）  顔作り
その後、目を縫いつけ、口や鼻を刺繍して、ペット用ぬいぐるみが完成される。
目の位置に目をつけてもよい。
【産業上の利用可能性】
【００３２】
本考案は、安全性と耐久性を備えた通常のぬいぐるみにも利用できる。
【図面の簡単な説明】
【００３３】
【図１】型紙を作成する状態を説明した説明図（その１）である。
【図２】型紙を作成する状態を説明した説明図（その２）である。
【図３】裁断した布地やメッシュクロスやメッシュ状合成繊維を縫製する状態を説明する説明図（その１）である。
【図４】裁断した布地やメッシュクロスやメッシュ状合成繊維を縫製する状態を説明する説明図（その２）である。
【図５】詰め物保護体部内に挿入口から詰め物を詰めている状態を説明した説明図である。
【図６】詰め物保護体部内に挿入口から興味誘導機器を挿入している状態を説明した説明図である。
【図７】詰め物保護体部の外観を説明した説明図である。
【図８】ぬいぐるみ本体形成部内に挿入口から詰め物保護体部を挿入している状態を説明する説明図である。
【図９】ぬいぐるみ本体形成部材に詰め物保護体部を挿入後、挿入口を縫製して挿入口を閉じている状態を説明した説明図である。
【図１０】ペット用ぬいぐるみの構造を説明する断面図である。
【図１１】ペット用ぬいぐるみの外観を説明する説明図である。
【符号の説明】
【００３４】
１      ペット用ぬいぐるみ
２      ぬいぐるみ表面体形成部
３      詰め物保護体部
４      詰め物
５      挿入口
６      型紙
７      布地
８      メッシュクロス又はメッシュ状合成繊維
９      興味誘導機器
１０    縫い針
【図１】
0003135922.tif 000003
【図２】
0003135922.tif 000004
【図３】
0003135922.tif 000005
【図４】
0003135922.tif 000006
【図５】
0003135922.tif 000007
【図６】
0003135922.tif 000008
【図７】
0003135922.tif 000009
【図８】
0003135922.tif 000010
【図９】
0003135922.tif 000011
【図１０】
0003135922.tif 000012
【図１１】
0003135922.tif 000013